(57)【要約】      （修正有）【課題】推進経路の基準となる計画線に従って先導管を簡易に案内することができ、効率的に既設管の破砕と更新管の敷設を可能にする既設管の改築推進方法および装置を提供する。【解決手段】既設管の中に発進立坑１０から到達立坑１２まで延びるガイド管１８を挿入し、ガイド管を推進経路の基準となる計画線１３０上に位置決めする工程と、更新管と先導管を推進する推力を発生する推進装置１６と、カッターヘッド２０と発進立坑１０に土砂を排土するスクリュー２２とを回転駆動する駆動装置３０と、先導管とを発進立坑に搬入し、先導管の前端側部位にガイド管の後端部を取り付けるとともに先導管の後端側部位にスクリューと更新管を連結する工程と、既設管をカッターヘッドで破砕しつつ土砂をスクリューにより発進立坑に排土しながら先導管と更新管１２０を推進装置により推進するとともに到達立坑１２で前記ガイド管を回収する工程と、を備える。【選択図】図１
2015021358.tif 000002
【特許請求の範囲】
【請求項１】
更新管に先行させる先導管に設けたカッターヘッドで地中に埋設された既設管を破砕しながら同時に前記更新管を推進する既設管の改築推進工法において、
前記既設管の中に発進立坑から到達立坑まで延びるガイド管を挿入し、前記ガイド管を推進経路の基準となる計画線上に位置決めする工程と、
前記更新管と前記先導管を推進する推力を発生する推進装置と、前記カッターヘッドと前記発進立坑に土砂を排土するスクリューとを回転駆動する駆動装置と、前記先導管とを前記発進立坑に搬入し、前記先導管の前端側部位に前記ガイド管の後端部を取り付けるとともに前記先導管に前記スクリューと前記更新管を連結する工程と、
前記既設管を前記カッターヘッドで破砕しつつ土砂を前記スクリューにより前記発進立坑に排土しながら前記先導管と前記更新管を前記推進装置により推進するとともに前記到達立坑で前記ガイド管を回収する工程と、
を備えることを特徴とする既設管の改築推進工法。
【請求項２】
前記位置決めする工程において、前記既設管が小さな曲がり段差のみを有する場合には、前記発進立坑と前記到達立坑にそれぞれ配置した支持部材を用いて前記ガイド管の両端部を支持して前記ガイド管を前記計画線上に位置決めし、前記推進装置により前記ガイド管を引っ張ることにより前記ガイド管を緊張状態に保ち、前記既設管と前記ガイド管の間の空間に充填材を充填する
ことを特徴とする請求項１に記載の既設管の改築推進工法。
【請求項３】
前記位置決めする工程において、前記既設管が大きな曲がり段差を有する場合には、前記曲がり段差の相当位置にカッターが取り付けられたカッター付きガイド管を取り付け、前記発進立坑と前記到達立坑にそれぞれ配置した支持部材を用いて前記ガイド管の両端部を支持して前記ガイド管を前記計画線上に位置決めし、前記ガイド管の前端部を前記駆動装置に取り付け前記駆動装置により前記ガイド管を回転させて前記曲がり段差を削落させるとともに前記推進装置により前記ガイド管を引っ張ることにより前記ガイド管を緊張状態に保ち、前記既設管と前記ガイド管の間の空間に充填材を充填する
ことを特徴とする請求項１に記載の既設管の改築推進工法。
【請求項４】
前記位置決めする工程において、前記既設管の前記発進立坑側端部と前記到達立坑側端部にそれぞれ配置された蓋部材に前記ガイド管が位置決めされるべき発進位置と到達位置とを位置設定し、前記発進立坑の前記蓋部材と前記到達立坑の前記蓋部材との間の前記既設管内に充填材を充填し、前記充填材で充填した前記既設管内に前記発進位置と前記到達位置との間に、前記推進装置及び前記駆動装置を用いて前記ガイド管を位置決めする
ことを特徴とする請求項１に記載の既設管の改築推進工法。
【請求項５】
更新管に先行させる先導管に設けたカッターヘッドで地中に埋設された既設管を破砕しながら同時に前記更新管を推進する既設管の改築推進装置において、
前記カッターヘッドが設けられた前記先導管と、
前記更新管と前記先導管を推進する推力を発生する推進装置と、
前記カッターヘッドと前記発進立坑に土砂を排土するスクリューとを回転駆動する駆動装置と、
前記先導管の前端側部位に、前記既設管の中に発進立坑から到達立坑まで延び推進経路の基準となる計画線上に位置決めされたガイド管の後端部を取り付けるためのガイド管取付部と
を備える
ことを特徴とする既設管の改築推進装置。
【請求項６】
前記ガイド管取付部は、前記カッターヘッドのカッターが取り付けたられた面板に前記カッターヘッドの回転に対し不回転に取り付けられている
ことを特徴とする請求項５に記載の既設管の改築推進装置。
【請求項７】
前記推進装置は、前記ガイド管の前端部が取り付けられ前記ガイド管を前計画線上に位置決めするために反力受板側へ引っ張り可能である
ことを特徴とする請求項５に記載の既設管の改築推進装置。
【請求項８】
前記駆動装置は、前記既設管が大きな曲がり段差を有する場合に前記曲がり段差の相当位置にカッターが取り付けられたカッター付きガイド管を取り付け、前記発進立坑と前記到達立坑にそれぞれ配置した支持部材を用いて前記ガイド管の両端部を支持して前記ガイド管を前記計画線上に位置決めし、前記ガイド管の前端部を前記駆動装置に取り付け前記ガイド管を回転させて前記曲がり段差を削落させる
ことを特徴とする請求項５に記載の既設管の改築推進装置。
【発明の詳細な説明】
【技術分野】
【０００１】
本発明は、老朽化した下水道管等の既設管を開削せずに新しい管に更新する既設管の改築推進工法およびこの工法を実施するための装置に関する。
【背景技術】
【０００２】
下水道管等の既設管は、経年変化により老朽化が進行したり、地震や地盤の影響で劣化して継続使用に支障が出てくることがある。このような老朽化しあるいは劣化した既設管は、適時に新たな管に交換する必要がある。
【０００３】
従来、既設管の更新は、地表を開削して既設管を掘り出してから、更新管を埋設し直していた。近時では、地表開削することなく、地中に埋まっている既設管を破砕しながら、同時に更新管を推進する改築推進工法が普及している（例えば、特許文献１参照）。
【先行技術文献】
【特許文献】
【０００４】
【特許文献１】特開２００８−０３８４８５号公報
【発明の開示】
【発明が解決しようとする課題】
【０００５】
従来の改築推進工法では、既設管を破砕しようとする場合に、推進経路の基準となる計画線に従って長距離に渡って先導管を簡易に案内することができず、効率的に既設管を破砕することができないという問題があった。
【０００６】
そこで、本発明の目的は、前記従来技術の有する問題点を解消し、推進経路の基準となる計画線に従って先導管を簡易に案内することができ、効率的に既設管の破砕と更新管の敷設を可能にする既設管の改築推進方法および装置を提供することにある。
【課題を解決するための手段】
【０００７】
前記の目的を達成するために、本発明に係る既設管の改築推進工法は、更新管に先行させる先導管に設けたカッターヘッドで地中に埋設された既設管を破砕しながら同時に前記更新管を推進する既設管の改築推進工法において、前記既設管の中に発進立坑から到達立坑まで延びるガイド管を挿入し、前記ガイド管を推進経路の基準となる計画線上に位置決めする工程と、前記更新管と前記先導管を推進する推力を発生する推進装置と、前記カッターヘッドと前記発進立坑に土砂を排土するスクリューとを回転駆動する駆動装置と、前記先導管とを前記発進立坑に搬入し、前記先導管の前端側部位に前記ガイド管の後端部を取り付けるとともに前記先導管に前記スクリューと前記更新管を連結する工程と、前記既設管を前記カッターヘッドで破砕しつつ土砂を前記スクリューにより前記発進立坑に排土しながら前記先導管と前記更新管を前記推進装置により推進するとともに前記到達立坑で前記ガイド管を回収する工程と、を備えることを特徴とする。
【０００８】
また、前記位置決めする工程において、前記既設管が小さな曲がり段差のみを有する場合には、前記発進立坑と前記到達立坑にそれぞれ配置した支持部材を用いて前記ガイド管の両端部を支持して前記ガイド管を前記計画線上に位置決めし、前記推進装置により前記ガイド管を引っ張ることにより前記ガイド管を緊張状態に保ち、前記既設管と前記ガイド管の間の空間に充填材を充填することを特徴とする。
【０００９】
また、前記位置決めする工程において、前記既設管が大きな曲がり段差を有する場合には、前記曲がり段差の相当位置にカッターが取り付けられたカッター付きガイド管を取り付け、前記発進立坑と前記到達立坑にそれぞれ配置した支持部材を用いて前記ガイド管の両端部を支持して前記ガイド管を前記計画線上に位置決めし、前記ガイド管の前端部を前記駆動装置に取り付け前記駆動装置により前記ガイド管を回転させて前記曲がり段差を削落させるとともに前記推進装置により前記ガイド管を引っ張ることにより前記ガイド管を緊張状態に保ち、前記既設管と前記ガイド管の間の空間に充填材を充填することを特徴とする。
【００１０】
また、前記位置決めする工程において、前記既設管の前記発進立坑側端部と前記到達立坑側端部にそれぞれ配置された蓋部材に前記ガイド管が位置決めされるべき発進位置と到達位置とを位置設定し、前記発進立坑の前記蓋部材と前記到達立坑の前記蓋部材との間の前記既設管内に充填材を充填し、前記充填材で充填した前記既設管内に前記発進位置と前記到達位置との間に、前記推進装置及び前記駆動装置を用いて前記ガイド管を位置決めすることを特徴とする。
【００１１】
また、本発明に係る既設管の改築推進装置は、更新管に先行させる先導管に設けたカッターヘッドで地中に埋設された既設管を破砕しながら同時に前記更新管を推進する既設管の改築推進装置において、前記カッターヘッドが設けられた前記先導管と、前記更新管と前記先導管を推進する推力を発生する推進装置と、前記カッターヘッドと前記発進立坑に土砂を排土するスクリューとを回転駆動する駆動装置と、前記先導管の前端側部位に、前記既設管の中に発進立坑から到達立坑まで延び推進経路の基準となる計画線上に位置決めされたガイド管の後端部を取り付けるためのガイド管取付部とを備えることを特徴とする。
【００１２】
また、前記ガイド管取付部は、前記カッターヘッドのカッターが取り付けたられた面板に前記カッターヘッドの回転に対し不回転に取り付けられていることを特徴とする。
【００１３】
また、前記推進装置は、前記ガイド管の前端部が取り付けられ前記ガイド管を前計画線上に位置決めするために反力受板側へ引っ張り可能であることを特徴とする。
【００１４】
また、前記駆動装置は、前記既設管が大きな曲がり段差を有する場合に前記曲がり段差の相当位置にカッターが取り付けられたカッター付きガイド管を取り付け、前記発進立坑と前記到達立坑にそれぞれ配置した支持部材を用いて前記ガイド管の両端部を支持して前記ガイド管を前記計画線上に位置決めし、前記ガイド管の前端部を前記駆動装置に取り付け前記ガイド管を回転させて前記曲がり段差を削落させることを特徴とする。
【発明の効果】
【００１５】
本願発明の構成によれば、ガイド管を推進経路の基準となる計画線上に位置決めし先導管の前端側部位にガイド管の後端部を取り付け、先導管をガイド管によって案内することができるので、効率的に既設管の破砕と更新管の敷設を行うことができる。
【００１６】
また、ガイド管を前記計画線上に位置決めする場合に、推進装置を活用し推進装置でガイド管を引っ張るようにしたので、工法及び装置の簡略化を測ることができる。
【００１７】
また、位置決めする工程において、既設管が小さな曲がり段差を有する場合には簡易に対応できることに加えて、既設管が大きな曲がり段差を有する場合には、曲がり段差の相当位置にカッター付きガイド管を取り付け、駆動装置によりガイド管を回転させて曲がり段差を削落させるとともに推進装置によりガイド管を引っ張るようにしたので、既設管が大きな曲がり段差を有する場合においても、既設管が小さな曲がり段差を有する場合と同様に、先導管をガイド管によって案内することができる。
【図面の簡単な説明】
【００１８】
【図１】本発明の一実施形態による改築推進装置とガイド管の関係を示す図。
【図２】位置決めする工程において、既設管が小さな曲がり段差のみを有する場合におけるガイド管の配設の仕方を示す図。
【図３】位置決めする工程において、既設管が大きな曲がり段差を有する場合におけるガイド管の配設の仕方を示す図。
【図４】図２における曲がり段差の相当位置に取り付けられるカッター付きガイド管の断面を示す図。
【図５】位置決めする工程における他の実施例であって、既設管内に充填材を充填した後にガイド管を位置決めする例を示す図。
【発明を実施するための最良の形態】
【００１９】
以下、本発明による既設管の改築推進方法および装置の一実施形態について、添付の図面を参照しながら説明する。
【００２０】
図１は、本実施形態による改築推進装置の全体構成とガイド管の関係を示す図である。図１において、参照番号１００は、改築対象となる既設管である老朽化した下水管を示している。参照番号１２０は、既設管１００と入れ替えられることになる更新管を示している。参照番号１０は改築工法の起点となる発進立坑であり、参照番号１２は到達立坑を示している。
【００２１】
本実施形態による改築推進装置は、更新管１２０に先行させる先導管１４に設けたカッターヘッド２０で地中に埋設された既設管１００を破砕しながら同時に更新管１２０を推進するものである。
【００２２】
改築推進装置は、カッターヘッド２０が設けられた先導管１４と、更新管１２０と先導管１４を推進する推力を発生する推進装置１６と、カッターヘッド２０と発進立坑１０に土砂を排土するスクリュー２２とを回転駆動する駆動装置３０と、先導管の前端側部位に、既設管１００の中に発進立坑１０から到達立坑１２まで延び推進経路の基準となる計画線上に位置決めされたガイド管１８の後端部を取り付けるためのガイド管取付部４０とを備えている。
【００２３】
先導管１４は、更新管１２０の先端に接続されており、更新管１２０の後端は推進装置１６に接続されている。
【００２４】
推進装置１６は推進力を発生する推進シリンダ２４を備えている。推進シリンダ２４のピストンロッド２６は、発進立坑１０の壁面に固定された反力受板２５に支持されている。
【００２５】
推進シリンダ２４の前端部は、更新管１２０の末端が連結されている推進プレート２７に連結されている。推進プレート２７は、横梁を介して平行に並んだ２本のガイドレール２９を案内にして推進方向に移動し、更新管１２０に推進シリンダ２４の推進力を伝達する。ガイドレール２９の後部は反力受板２５に固定されている。
【００２６】
駆動装置３０は、カッターヘッド２０を回転させる駆動機構としてモータ３５と減速機３６を備えている。減速機３６の出力軸３８はスクリュー２２の後端部に連結され、スクリュー２２の前端部はカッターヘッド２０に連結されている。駆動装置３０によってカッターヘッド２０はスクリュー２２とともに回転駆動される。
【００２７】
スクリュー２２の外側にはハウジング２３が設けられている。スクリュー２２とハウジング２３は更新管１２０内に配設されている。カッターヘッド２０によって掘削された土砂および既設管１００の破片は、スクリュー２２によってハウジング２３内を通り到達立坑１２へ移送される。
【００２８】
ガイド管取付部４０は、先導管１４に設けられたカッターヘッド２０の中央前端部に設けられている。ガイド管取付部４０はベアリング部４１を有する。ガイド管１８は、ベアリング部４１を介してカッターヘッド２０に取り付けられることによって、カッターヘッド２０が回転駆動されても回転することなく推進駆動される。
【００２９】
既設管１００の中で位置決めされたガイド管１８は、先導管１４が推進されてことに伴い、到達立坑１２に到達したものから回収される。
【００３０】
次に、更新管１２０に先行させる先導管１４に設けたカッターヘッド２０で地中に埋設された既設管１００を破砕しながら同時に更新管１２０を推進する既設管１００の改築推進工法について説明する。
【００３１】
改築推進工法は、既設管１００の中に発進立坑１０から到達立坑１２まで延びるガイド管１８を挿入し、ガイド管１８を推進経路の基準となる計画線上に位置決めする工程と、位置決めされたガイド管１８と更新管１２０と先導管１４を推進する推力を発生する推進装置１６と、カッターヘッド２０と発進立坑１０に土砂を排土するスクリュー２２とを回転駆動する駆動装置３０と、先導管１４とを発進立坑１０に搬入し、先導管１４の前端側部位にガイド管１８の後端部を取り付けるとともに先導管１４の後端側部位にスクリュー２２と更新管１２０を連結する工程と、既設管１００をカッターヘッド２０で破砕しつつ土砂をスクリュー２２により発進立坑１０に排土しながら先導管１４と更新管１２０を推進装置１６により推進するとともに到達立坑１２でガイド管１８を回収する工程と、を備える。
【００３２】
図２を参照して、位置決めする工程において、既設管１００が小さな曲がり段差のみを有する場合におけるガイド管１８の配設の仕方について説明する。道路計画等に基づいて予め、推進計画線１３０が作成されている。
【００３３】
図２の場合では、既設管１００が小さな曲がり段差のみを有し、推進計画線１３０が既設管１００に抵触しないことが予め確認されている。ガイド管１８は複数のユニット長さの管から構成され、発進立坑１０側から推進計画線１３０に沿って、通常の手法によって到達立坑１２側へ供給される。ガイド管１８の約１ｍのユニット長さの管は互いにネジで連結され発進立坑１０から到達立坑１２まで例えば５０ｍの長さに渡って、発進立坑１０側から人力あるいは推進装置１６によって渡される。到達立坑１２では、既設管１００の到達側端部に固定された支持部材７０によってガイド管１８の先端を既設管１００のほぼ中心部に支持する。発進立坑１０では、既設管１００の発進側端部に支持部材としての支持フレーム７３が取り外し可能に取り付けられている。支持フレーム７３によってガイド管１８を半径方向に移動可能に中継的に支持する。支持フレーム７３によって中継的に支持されたガイド管１８は、推進装置１６に連結された推進プレート２７に取り外し可能に取付部５０によって取り付けられる。推進プレート２７を推進シリンダ２４のピストンロッド２６によって反力受板２５側へ引っ張ることによってガイド管１８を計画線１３０上に位置決めし、ガイド管１８を支持フレーム７３に固定支持する。
【００３４】
取付部５０は、ガイド管１８を反力受板２５側へ引っ張る方向に抜けないように推進プレート２７に取り付けるとともに、ガイド管１８を推進プレート２７に対して回転可能にベアリング等が設けられているものである。図２の場合においては、ガイド管１８を推進プレート２７に対し回転させることはなく、取付部５０はガイド管１８が反力受板２５側へ引っ張る方向に抜けないようにのみ機能する。
【００３５】
次に、ガイド管１８と既設管１００の間のアニュラー空間に、軽量の発泡モルタルなどの充填材１３２を充填する。この場合、地上に設置されている図示しない充填剤ポンプユニットから延びる配管７６を到達立坑１２に引き込みノズル管７７を支持部材７０からガイド管１８の内部へ送る。ガイド管１８には充填材吐出口７８が形成されており、充填材吐出口７８から既設管１００との間のアニュラー空間に充填材１３２を充填する。やがて充填剤１３２が固化すると、ガイド管１８は既設管１００の中において計画線１３０と管軸が一致する位置に固定されることになる。その後、発進立坑１０では、取付部５０を推進プレート２７から取り外し支持フレーム７３を分解して撤去し、到達立坑１２でも、支持部材７０を撤去する。
【００３６】
なお、ガイド管１８は、推進が進むにしたがって回収していくので、ガイド管１８の外周面には、あらかじめ充填剤の付着防止剤を塗布しておくことが好ましい。
【００３７】
次に、図３を参照して、位置決めする工程において、既設管１００が大きな曲がり段差１０１を有するを有する場合におけるガイド管１８の配設の仕方について説明する。
【００３８】
道路計画等に基づいて作成した推進計画線１３０において、大きな曲がり段差１０１がどの位置にあるかは予め調べ知ることができる。そこで、既設管１００における大きな曲がり段差１０１の相当位置にカッター７８が取り付けられたカッター付きガイド管７５を接続する。カッター付きガイド管７５の断面を図４に示す。カッター付きガイド管７５の長手方向の全体に渡ってカッター７８が形成されている。
【００３９】
図２に示す場合と同様に、到達立坑１２では、既設管１００の到達側端部に固定された支持部材７０によってガイド管１８の先端を既設管１００のほぼ中心部に支持し、発進立坑１０では、既設管１００の発進側端部に支持フレーム７３が取り外し可能に取り付けられている。支持フレーム７３によって中継的に支持されたガイド管１８は、推進装置１６に連結された推進プレート２７に取り外し可能に取付部５０によって取り付けられ、さらに減速機３６の出力軸３８に連結されるている。前述したように、取付部５０は、ガイド管１８を推進プレート２７に反力受板２５側へ引っ張る方向に抜けないように取り付けるとともに、ガイド管１８を推進プレート２７に対してベアリング等を介して回転可能に取り付けるものであるので、ガイド管１８は反力受板２５側へ引っ張り可能であるととも回転可能に推進プレート２７に支持されている。
【００４０】
ガイド管１８は、図２示す場合に比べて、大きな曲がり段差１０１の存在のために長手方向に余裕を持って当初は垂れ下がるようにして、推進プレート２７に支持されている。ガイド管１８を減速機３６の出力軸３を介して回転駆動することによりカッター付きガイド管７５を回転駆動し除除に大きな曲がり段差１０１を削落させ、同時に除除に推進プレート２７を推進装置１６によって引っ張る。最終的には、大きな曲がり段差１０１を十分に削落させるとともに推進プレート２７を反力受板２５側へ引っ張り、ガイド管１８を計画線１３０上に位置決めし、ガイド管１８を支持フレーム７３に固定支持する。
【００４１】
次に、図２に示す場合と同様に、ガイド管１８と既設管１００の間のアニュラー空間に軽量の発泡モルタルなどの充填材１３２を充填する。充填剤１３２が固化すると、ガイド管１８は既設管１００の中において計画線１３０と管軸が一致する位置に固定されることになる。その後、発進立坑１０では、減速機３６の出力軸３８からガイド管１８を外し、取付部５０を推進プレート２７から取り外し支持フレーム７３を分解して撤去し、到達立坑１２でも、支持部材７０を撤去する。
【００４２】
以上のようにして、図２または図３に示す場合にように、ガイド管１８を推進計画線１３０上に位置決めし、ガイド管１８と既設管１００の間のアニュラー空間に充填材１３２を充填し、ガイド管１８を既設管１００の中において計画線１３０と管軸が一致する位置に固定する。
【００４３】
なお、図２または図３においては、ガイド管１８を推進経路の基準となる計画線上に位置決めする工程において、ガイド管１８を緊張状態にした後に充填材１３２を充填することでガイド管１８を位置決めすることについて説明した。
【００４４】
しかしながら、本願発明は図２または図３に示す場合に限らず、図５に示すように、まず既設管１００内に充填材１３２を充填し、その後にガイド管１８を位置決めするようにしてもよい。
【００４５】
すなわち、図５において、既設管１００の発進立坑側端部１４１と到達立坑側端部１４２にそれぞれ配置された蓋部材１４３、１４４にガイド管１８が計画線上に位置決めされるべき発進位置１４３ａと到達位置１４４ａとを位置設定し、発進立坑１０の蓋部材１４３と到達立坑１２の蓋部材１４４との間の既設管１００内に充填材１３２を充填し、充填材１３２で充填した既設管１００内に発進位置１４３ａと到達位置１４４ａとの間に、推進装置１８及び駆動装置３０を用いてガイド管１８を位置決めする。
【００４６】
ガイド管１８の先端部にはテーパーが形成されているので、ガイド管１８は推進装置１８と駆動装置３０とによって推進移動と回転移動を受けることによって充填材１３２が切削され、ガイド管１８を敷設することができる。
【００４７】
また、ガイド管１８の先端部内部には、ガイド管１８の敷設位置をあるべき位置にするためにターゲットとなる発光ダイオード１４５が取り付けられており、発光ダイオード１４５の位置を発進立坑１０に設置した測量器１４６で測量しながら、必要に応じて推進装置１８による推進方向や上下方向を修正しながらガイド管１８を敷設する。
【００４８】
このようにして、最終的に発進位置１４３ａと到達位置１４４ａとの間の計画線上にガイド管１８の位置決めを行うことができる。
【００４９】
次に、図１に示すように、先導管１４に設けられたガイド管取付部４０にガイド管１８の後端部を取り付ける。スクリュー２２の前端部を先導管１４の先端部のカッターヘッド２０に連結する。また、このとき、既に設置してあるガイド管１８に先導管１４の高さや平行度を調整するために、ジャッキを操作して調整する。
【００５０】
こうして、推進装置１６の準備が整ったら、推進工程を開始することになる。推進開始時には、回転するカッターヘッド２０で既設管１００を破砕しながら土砂を掘削し、先導管１４を推進シリンダ２４で押し出していく。先導管１４の推進が終わったら、カッターヘッド２０の回転を停止する。
【００５１】
その後、発進立坑１０では、先導管１４の後端部に更新管１００の一本分を接続する作業を行なう。到達立坑１２では、先導管１４の推進とともに、到達立坑１２に突き出てきたガイド管１８を取り外す作業を行う。また、発進立坑１０では、掘削した土砂と破砕した既設管１００の破片を回収する。
【００５２】
以上のようにして、先導管１４および更新管１２０を到達立坑１００まで推進することで、既設管１００を更新管１２０に更新することができる。
【符号の説明】
【００５３】
１０  発進立坑
１２  到達立坑
１４  先導管
１６  推進装置
１８  ガイド管
２０  カッターヘッド
２２  スクリュー
２４  推進シリンダ
２５  反力受板
２７  推進プレート
３０  駆動装置
３６  減速機
３８  出力軸
４０  ガイド管取付部
７０  支持部材
７３  支持フレーム
７５  カッター付きガイド管
１００  既設管
１２０  更新管
１３２  充填材
【図２】
2015021358.tif 000003
【図３】
2015021358.tif 000004
【図４】
2015021358.tif 000005
【図５】
2015021358.tif 000006
【図１】
2015021358.tif 000007